(57)【要約】      （修正有）【課題】補助物品が挿入しやすい収容口を有する収容部を備えた包装用箱を提供する。【解決手段】物品を収容する箱本体１４と、補助物品を収容する収容部と、を備えた包装用箱１１であって、前記箱本体１４は、第１面４１と、前記物品を収容可能とする開口端縁の一部を構成する第１折目線８１を介して前記第１面４１に連設される第２面４２と、を備える。さらに、前記収容部は、前記第１面４１と前記第２面４２の一部または全部に固定されるシート部材７１と、前記第１面４１に固定される前記シート部材７１に前記補助物品を保持する保持部と、前記第２面４２に固定される前記シート部材７１に前記補助物品を前記保持部内に挿入可能とする第１収容口１２ｂと、を有する。また、前記第２面４２は、前記第１折目線８１を基軸線として、前記シート部材７１の固定側と反対方向に回動可能である。【選択図】図４
0003167963.tif 000002
【実用新案登録請求の範囲】
【請求項１】
物品を収容する箱本体と、補助物品を収容する収容部と、を備えた包装用箱であって、
前記箱本体は、
第１面と、
前記物品を収容可能とする開口端縁の一部を構成する第１折目線を介して前記第１面に連設される第２面と、を備え、
前記収容部は、
前記第１面と前記第２面の一部または全部に固定されるシート部材と、
前記第１面と前記シート部材との間に、または前記第１面に固定される前記シート部材に前記補助物品を保持する保持部と、
前記第２面と前記シート部材との間に、または前記第２面に固定される前記シート部材に前記補助物品を前記保持部内に挿入可能とする第１収容口と、を有し、
前記第２面は、前記第１折目線を基軸線として、前記シート部材の固定側と反対方向に回動可能であることを特徴とする、包装用箱。
【請求項２】
請求項１に記載の包装用箱であって、
前記箱本体は、
前記第２面と対向する前記第１面の端縁に前記物品を収容可能とする開口端縁の一部を構成する第２折目線を介して連設され、前記シート部材の一部または全部が固定される第３面と、を更に備え、
前記収容部は、
前記第３面と前記シート部材との間または前記第３面に固定される前記シート部材に前記補助物品を前記保持部内に挿入可能とする第２収容口と、を更に有し、
前記第３面は、前記第２折目線を基軸線として、前記シート部材の固定側と反対方向に回動可能であることを特徴とする、包装用箱。
【請求項３】
請求項１または請求項２に記載の包装用箱であって、
前記第１収容口は、前記第１折目線の近傍に位置することを特徴とする包装用箱。
【請求項４】
請求項２または請求項３に記載の包装用箱であって、
前記第２収容口は、前記第２折目線の近傍に位置することを特徴とする包装用箱。
【請求項５】
請求項１から請求項４のいずれか一項に記載の包装用箱であって、
前記シート部材は、筒状または袋状であることを特徴とする包装用箱。
【請求項６】
請求項１または請求項５のいずれか一項に記載の包装用箱であって、
前記第１面の少なくとも一つは、天面板であることを特徴とする包装用箱。
【請求項７】
請求項１または請求項６のいずれか一項に記載の包装用箱であって、
前記第１面の少なくとも一つは、側面板であることを特徴とする包装用箱。
【考案の詳細な説明】
【技術分野】
【０００１】
本考案は、包装用箱に関し、より詳細には、保冷体、キャンドル、ナフキン等の補助備品を収容する収容部を備えた包装用箱に関する。
【背景技術】
【０００２】
従来、例えばケーキ等の物品を収納する包装用箱にあっては、ケーキ等を低温に保つため、アイスパック（水や保冷剤をビニールシート等で密封包装したパック状のものを凍らせたもの）やドライアイス等の保冷体をケーキ等と一緒に包装用箱に収納することが行われている。また、保冷体の他にキャンドル、ナフキン、ケーキカッター等を包装用箱に収納する場合もある。これら保冷体等の補助物品を包装用箱内に収納保持するものとして、例えば、包装用箱の天面板の内側面に、シート部材の一方向のみが開放状態となるように周縁部を貼着し、包装用箱の天面板の内側面とシート部材との間に保冷体等の物品を収納保持する収納部を形成したものが知られている（例えば、特許文献１参照。）。
【特許文献１】登録実用新案第３０８８８９８号公報
【考案の概要】
【考案が解決しようとする課題】
【０００３】
しかしながら、上記特許文献１に記載の包装用箱を製造装置により製造する場合、収納部のシート部材は天面板の内側面に密着するように貼り付けられる。このため、天面板の内側面とシート部材との間に隙間が確保されず、補助物品を収容する際に、収納部の内部に挿入しづらく、補助物品の収容に時間がかかる等の問題がある。
【０００４】
そこで本考案では、補助物品が挿入しやすい収容口を有する収容部を備えた包装用箱を提供することを目的とする。
【課題を解決するための手段】
【０００５】
本考案の解決しようとする課題は以上の如くであり、次にこの課題を解決するための手段を説明する。
【０００６】
即ち、請求項１においては、物品を収容する箱本体と、補助物品を収容する収容部と、を備えた包装用箱であって、前記箱本体は、第１面と、前記物品を収容可能とする開口端縁の一部を構成する第１折目線を介して前記第１面に連設される第２面と、を備え、前記収容部は、前記第１面と前記第２面の一部または全部に固定されるシート部材と、前記第１面と前記シート部材との間に、または前記第１面に固定される前記シート部材に前記補助物品を保持する保持部と、前記第２面と前記シート部材との間に、または前記第２面に固定される前記シート部材に前記補助物品を前記保持部内に挿入可能とする第１収容口と、を有し、前記第２面は、前記第１折目線を基軸線として、前記シート部材の固定側と反対方向に回動可能とするものである。
【０００７】
請求項２においては、請求項１に記載の包装用箱であって、前記箱本体は、前記第２面と対向する前記第１面の端縁に前記物品を収容可能とする開口端縁の一部を構成する第２折目線を介して連設され、前記シート部材の一部または全部が固定される第３面と、を更に備え、前記収容部は、前記第３面と前記シート部材との間または前記第３面に固定される前記シート部材に前記補助物品を前記保持部内に挿入可能とする第２収容口と、を更に有し、前記第３面は、前記第２折目線を基軸線として、前記シート部材の固定側と反対方向に回動可能とするものである。
【０００８】
請求項３においては、請求項１または請求項２に記載の包装用箱であって、前記第１収容口は、前記第１折目線の近傍に位置するものである。
【０００９】
請求項４においては、請求項２または請求項３に記載の包装用箱であって、前記第２収容口は、前記第２折目線の近傍に位置するものである。
【００１０】
請求項５においては、請求項１から請求項４のいずれか一項に記載の包装用箱であって、前記シート部材は、筒状または袋状である。
【００１１】
請求項６においては、請求項１または請求項５のいずれか一項に記載の包装用箱であって、前記第１面の少なくとも一つは、天面板である。
【００１２】
請求項７においては、請求項１または請求項６のいずれか一項に記載の包装用箱であって、前記第１面の少なくとも一つは、側面板である。
【考案の効果】
【００１３】
本考案の効果として、以下に示すような効果を奏する。
【００１４】
請求項１においては、第１折目線が開口部の一部であるので、開口部から補助物品を収容する際に、開口部の蓋である第２面を大きく開く、つまり第２面がシート部材とは反対方向に回動させることで、収容部の収容口に隙間をつくることができ、保持部へと補助物品を容易に収容することができる。
【００１５】
請求項２においては、請求項１の効果に加え、第２折目線が開口部の一部であるので、開口部から補助物品を収容する際に、開口部の蓋である第３面を大きく開く、つまり第３面をシート部材とは反対方向に回動させることで、収容部の収容口に隙間をつくることができ、保持部へと補助物品を容易に収容することができる。また、収容口が第１収容口と第２収容口の２箇所に設けられているため、補助物品をどちらからでも挿入でき保持部内に収容することができる。
【００１６】
請求項３においては、請求項１または請求項２の効果に加え、
第１収容口が第１折目線の近傍に位置するため、第１収容口から保持部までの距離も近くなり、補助物品を保持部内まで挿入しやすくなる。
【００１７】
請求項４においては、請求項２または請求項３の効果に加え、
第２収容口が第２折目線の近傍に位置するため、第２収容口から保持部までの距離も近くなり、補助物品を保持部内まで挿入しやすくなる。
【００１８】
請求項５においては、請求項１から請求項４の効果に加え、
シート部材が一重で箱本体に固定される場合に比べて、収容口の隙間が大きくなり、補助物品が挿入し易くなる。
【００１９】
請求項６においては、請求項１から請求項５の効果に加え、
通常、天面板に収容部を配置すると上面視において収容部の収容口が見えにくく開き難いが、第２面または第３面をシート部材とは反対の方向に回動させることで、上面視においても収容口を認識しやすく、補助物品を収容し易くなる。
【００２０】
請求項７においては、請求項１から請求項６の効果に加え、
第２面または第３面をシート部材とは反対の方向に回動させることで、天面板等の他の部材によって視界を遮られることなく、箱本体の側部に収容口が現れるため、収容し易い。収容口を認識しやすく、補助物品を収容し易くなる。
【図面の簡単な説明】
【００２１】
【図１】本考案の実施例１に係る収容部１２を有する包装用箱１１の展開形成体１３の平面図。
【図２】包装用箱１１を折り畳んだ状態を示す平面図。
【図３】包装用箱１１を筒状に組み立てた状態を示す平面図。
【図４】第２面である第１上蓋部４２を回動させた状態を示す斜視簡略図。
【図５】第２面である第１上蓋部４２を回動させた状態を示す前方斜視簡略図。
【図６】包装用箱１１を組み立てた状態を示す斜視簡略図。
【図７】実施例２に係る収容部１２・２１２を有する包装用箱２１１の展開形成体２１３の平面図。
【図８】包装用箱２１１を組み立てた状態を示す斜視簡略図。
【図９】実施例３に係る第３収容部３１２を有する包装用箱３１１の展開形成体３１３の平面図。
【図１０】包装用箱３１１を組み立てた状態を示す斜視簡略図。
【図１１】実施例４に係る収容部４１２を有する包装用箱４１１の展開形成体４１３の平面図。
【図１２】包装用箱４１１を折り畳んだ状態を示す平面図。
【図１３】包装用箱４１１の箱本体４１６の本体部４１４を組み立てた状態の斜視簡略図。
【図１４】第２面である天面板４３１を回動させた状態を示す斜視簡略図。
【図１５】収容部４１２に補助物品９０を収容した状態を示す斜視簡略図。
【図１６】本体部４１４に対して蓋部４１５を閉じた状態を示す斜視簡略図。
【考案を実施するための形態】
【００２２】
次に、考案の実施の形態について図を用いて説明する。
【実施例１】
【００２３】
次に、本考案の実施例１に係る包装用箱１１の箱本体１４と箱本体にシート部材を付着して形成される収容部１２について、図１から図６を用いて説明する。
【００２４】
包装用箱１１は、図１に示すように、底板２１の第１端部に順次連設される、第１側面板３１、天面板４１、及び第２側面板５１によって筒状に形成され、開口部が第１上蓋部４２と第１下蓋部２３、及び第２上蓋部４３と第２下蓋部２４によって閉塞される、いわゆるサック形式の包装用箱１１である。包装用箱１１は折り畳まれた半完成状態で菓子店等に納品され（図２参照）、ケーキ等を収容する前に最終の組み立てが行われて完成状態の包装用箱１１とされる。
【００２５】
本実施例の以下の説明では、開口部が形成されている側を前後方向とする。そして、図１から図４および図６の図示左側を前側とし、図示右側を後側とする。また、上下方向は、包装用箱１１を組み立てて、底板２１を下にして載置した状態で、底板２１側を下方とする。
【００２６】
図１に示す展開形成体１３に従って包装用箱１１を構成する部分を説明する。図１は、包装用箱１１の内側面となる面を紙面手前側として示している。まず底板２１は、包装用箱１１の底部を構成する部分である。底板２１の第１端部には包装用箱１１の側面を構成する第１側面板３１が第１側面板折目線６１を介して連設されている。底板２１の前側の端部には、前側の蓋部を構成する第１下蓋部２３が第１下蓋部折目線６３を介して連設されている。第１下蓋部２３には、前切込部２５が形成されている。底板２１の後側の端部には、後側の蓋部を構成する第２下蓋部２４が第２下蓋部折目線６４を介して連設されている。第２下蓋部２４には、後切込部２６が形成されている。底板２１の第１端部に対向する第２端部には、取付面２２が取付面折目線６２を介して連設されている。取付面２２は、第２側面板５１に固定されて、底板２１を第２側面板５１に対して固定する部材である。
【００２７】
次に、第１側面板３１の端部のうち、底板２１と対向する端部には、包装用箱１１の天部を構成する天面板４１が天面折目線６５を介して連設されている。第１側面板３１の前側の端部には、第１前フラップ３２が第１前フラップ折目線６６を介して連設されている。第１側面板３１の後側の端部には、第１後フラップ３３が第１後フラップ折目線６７を介して連設されている。
【００２８】
天面板４１の端部のうち、第１側面板３１と対向する端部には、包装用箱１１の側面板を構成する第２側面板５１が、第２側面板折目線８０を介して連設されている。天面板４１の前側の端部には、前側の蓋部を構成する第１上蓋部４２が第１上蓋部折目線８１を介して連設されている。第１上蓋部４２の端部には、第１下蓋部２３の端部に形成された前切込部２５に差し込まれる前差込片４４が形成されている。天面板４１の後側の端部には、後側の蓋部を構成する第２上蓋部４３が第２上蓋部折目線８２を介して連設されている。第２上蓋部４３の端部には、第２下蓋部２４の端部に形成された後切込部２６に差し込まれる後差込片４５が形成されている。
【００２９】
第２側面板５１の前側の端部には、第２前フラップ５２が第２前フラップ折目線６８を介して連設されており、第２側面板５１の後側の端部には、第２後フラップ５３が第２後フラップ折目線６９を介して連設されている。
【００３０】
次に、収容部１２について説明する。
収容部１２は、包装用箱１１の内側面に固定される、袋状のシート部材７１により構成されて保冷体等の補助物品９０を収容するものである。シート部材７１は、透明性を有したフィルム材等からなる第１シート７１ａと、不織布やレーヨン紙等からなる第２シート７１ｂとによって構成される。シート部材７１は、第１面である天面板４１の内側面と、第２面である第１上蓋部４２及び第３面である第２上蓋部４３の内側面の一部とを覆う形状を有している。
【００３１】
更に、詳細に説明すると、箱本体１４に対するシート部材７１の固定は、まず、箱本体１４の所定の位置に第１シート７１ａを密着するように載置し、さらにその上に、第２シート７１ｂを密着するように重ねて載置する。その状態で、図１に示す一対の固定部７３において第１シート７１ａを箱本体１４と固定するとともに、第２シート７１ｂを第１シート７１ａと固定する。このように、第１シート７１ａと第２シート７１ｂとを第１面である天面板４１、第２面である第１上蓋部４２、第３面である第２上蓋部４３に固定することにより、シート部材７１を包装用箱１１の内側面に固定するとともに、シート部材７１を筒状に形成して収容部１２の内と外とを実質的に区分けするものである。
【００３２】
また、第１シート７１ａのみが固定手段によって固定される部分を一対の固定部７４・７４として図１に示している。固定部７４は、第２面である第１上蓋部４２、第３面である第２上蓋部４３に第１シート７１ａを確実に装着して、天面板４１に形成される開口からの塵埃等の侵入が防止できるようにされていればよい。第１シート７１ａ及び第２シート７１ｂの装着は、接着剤のほか、両面テープや熱溶着手段等の固定手段を用いることができる。
【００３３】
シート部材７１の前端部は、第１上蓋部４２の内側面上の第１折目線である第１上蓋部折目線８１の近傍に位置し、シート部材７１の後端部は、第２上蓋部４３の内側面上の第２折目線である第２上蓋部折目線８２の近傍に位置している。
【００３４】
天面板４１と接するシート部材７１には、第１シート７１ａと第２シート７１ｂの間の補助物品９０を保持する隙間である保持部１２ａが形成される。シート部材７１の第２シート７１ｂは、その前後端部が固定されずに開放端部とされている。この開放端部である第２シート７１ｂと第１シート７１ａとの間が、収容部１２内に補助物品９０を挿入可能とする収容口となる。この収容口の内、第２面である第１上蓋部４２側の収容口は第１収容口１２ｂ、第３面である第２上蓋部４３側の収容口は第２収容口１２ｃである。第１収容口１２ｂおよび第２収容口１２ｃへの補助物品９０の挿入方向を矢印Ａで示す。
【００３５】
尚、本考案のシート部材７１は、第１シート７１ａと第２シート７１ｂとを合わせて袋状としているが、第１シート７１ａのみまたは、第２シート７１ｂのみで構成してもよい。ただし、シート部材７１を箱本体の内側面に対して一重のみで構成した場合、その前後両端部の一部または全部は、箱本体に固定することなく開放端部とし、左右両端部のみを固定するようにして、収容口を設けるようにすればよい。また、シート部材７１の前後どちらか一方の端部が、第１面である天面板４１の前後中途部に配置されていてもよい。
【００３６】
次に、包装用箱１１を半完成状態まで組み立てる場合について説明する。図１、図２に示すように、まず、第１側面板折目線６１を谷折して、底板２１を第１側面板３１に対して折り返し、第１下蓋部２３が第１前フラップ３２、第２下蓋部２４が第１後フラップ３３に重なるようにする。次に、第２側面板折目線８０を谷折して、第２側面板５１を天面板４１に対して折り返し、第２前フラップ５２が第１上蓋部４２に、第２後フラップ５３が第２上蓋部４３に重なるようにする。そして、第２側面板５１が取付面２２に重なるようにし、第２側面板５１と取付面２２とを固定する。固定には、接着剤を用いた貼着手段や、熱溶着等の固定手段を用い、取付面２２の略全面と、第２側面板５１とを固定する。これにより、図２に示すように、包装用箱１１は略半分に折り畳まれた半完成状態となる。
【００３７】
本実施例に係る包装用箱１１はサック形式であり、半完成状態までの組み立てでは、折目は全て谷折であり、固定する部分は、取付面２２と第２側面板５１との間のみであるから、貼り作業を貼り機によって容易に自動化することができ、製造コストを安価とすることができる。また、半完成状態では、包装用箱１１は厚さが薄く、コンパクトであるため、運搬や保管が容易となる。
【００３８】
次に、折り畳まれた半完成状態の包装用箱１１を完成体まで組み立てる場合について説明する。図３に示すように、まだ谷折されていなかった天面折目線６５と取付面折目線６２とを谷折して、底板２１に対して、第１側面板３１と第２側面板５１とを起立させ、第１側面板３１、天面板４１、及び第２側面板５１によって筒状とする。
【００３９】
次に、補助物品９０を前部側または後部側から収容部１２に収容するのであるが、本考案に係る収容部１２は前後対称に構成されているため、前部側から挿入する方法を以下に説明し、後部側から挿入する方法の説明は省略する。
【００４０】
収容部１２の第１収容口１２ｂは、第１上蓋部４２の内側面上に位置している。第１収容口１２ｂは、図３に示すように第１上蓋部４２が天面板４１と同一平面上にある状態において、上面視において収容部１２の第１収容口１２ｂが見えにくく、そのため第１収容口１２ｂが開きづらい。また、第１収容口１２ｂは、図３に示すように第１上蓋部４２が天面板４１と同一平面上にある状態において、収容部１２を構成する第１シート７１ａと第２シート７１ｂとが密着し、それらの端部に形成されている第１収容口１２ｂには、隙間がほとんどなく補助物品９０を挿入することが困難である。特に、第１シート７１ａと第２シート７１ｂの切断部分が、製造装置等で切断されて密着し第１収容口１２ｂが閉じられた状態の場合、補助物品９０を差し込むことが非常に困難となる。
【００４１】
そこで、第１上蓋部４２が天面板４１と同一平面にある状態から、第２面である第１上蓋部４２を第１折目線であって箱本体１４の開口の一部である第１上蓋部折目線８１を回動軸である基準軸として、シート部材７１が固定されている側とは反対方向（矢印Ｂ）に回動させる。ここで、第２面である第１上蓋部４２は、箱本体１４の前部の開口部を閉塞する蓋であり、大きく開くことが可能である。
【００４２】
すると、上面視において、図３に示すように第１上蓋部４２によって認識できなかった第１収容口１２ｂが、図４、図５に示すように、認識されやすい状態となる。
【００４３】
さらに、この第１上蓋部４２の回動は、左右一対の固定部７３・７３と固定部７４によって、第１上蓋部４２の内面に固定されている第１シート７１ａを第１上蓋部４２とともに回動させる。しかし、第１上蓋部４２に対して第２シート７１ｂの前端部は、開放端であるため浮き上がって隙間が生じ、第１収容口１２ｂが開いた状態となる。このように第１収容口１２ｂが開いた状態となるため、補助物品９０を第１収容口１２ｂへと容易に挿入することができる。
【００４４】
補助物品９０は、さらに挿入方向Ａの奥へと押し込まれることで、保持部１２ａまで達し、天面板４１の下方の第１シート７１ａと第２シート７１ｂとの間に形成された収容部１２の保持部１２ａで保持される。このとき、第１収容口１２ｂが第１折目線である第１上蓋部折目線８１の近傍に位置するため、第１収容口１２ｂから保持部１２ａまでの距離も近く、補助物品９０を保持部１２ａ内まで挿入しやすい。
【００４５】
このように収容部１２に補助物品９０を収納し、さらに内部にケーキ等の物品を収納した後、包装用箱１１の前部と後部を組み立てる。前部の組み立ては、図２、図３に示すように、第１前フラップ折目線６６を谷折して第１前フラップ３２を内側に曲げ、第２前フラップ折目線６８を谷折して第２前フラップ５２を内側に曲げ、第１下蓋部折目線６３を谷折し、第１下蓋部２３を底板２１に対して起立させる。そして、第１上蓋部折目線８１を谷折して前の第１収容口１２ｂ近傍のシート部材７１とともに第１上蓋部４２を下方に曲げ、第１上蓋部４２の前差込片４４を第１下蓋部２３の前切込部２５に挿入することで、包装用箱１１の前部が閉塞される。
【００４６】
後部の組み立ては、前部と同様に、第１後フラップ折目線６７を谷折して第１後フラップ３３を内側に曲げ、第２後フラップ折目線６９を谷折して第２後フラップ５３を内側に曲げ、第２下蓋部折目線６４を谷折し、第２下蓋部２４を底板２１に対して起立させる。そして、第２上蓋部折目線８２を谷折して後の第１収容口１２ｂ近傍のシート部材７１とともに第２上蓋部４３を下方に曲げ、第２上蓋部４３の後差込片４５を第２下蓋部２４の後切込部２６に挿入することで、包装用箱１１の後部が閉塞される。
【００４７】
そして、補助物品９０を収容部１２の保持部１２ａに収納して、包装用箱１１の前部と後部を閉塞した状態を図６に示す。この状態では、包装用箱１１の収容部１２は、第１面としての天面板４１に対して第２面としての第１上蓋部４２と第３面としての第２側面板５１が折り曲げられ、このときシート部材７１は、包装用箱１１の天面板４１、第１上蓋部４２、及び第２上蓋部４３に密着して貼り付けられた状態で、その前後部である第１収容口１２ｂ周辺を折り曲げられているため、収容部１２の保持部１２ａ内に補助物品９０が安定して保持され収容部１２外へ移動することがない。
【００４８】
尚、本実施例では、シート部材７１を筒状に形成したが、第２面である第１上蓋部４２側にのみに第１収容口を形成しても、または、第３面である第２上蓋部４３側にのみに第２収容口を形成する袋状のシート部材であってもよい。また、固定部７３・７３は、一部分で固定されているがシート部材７１の第１シート７１ａの全面で固定されていてもよい。
【実施例２】
【００４９】
次に、本考案の実施例２に係る包装用箱２１１について図７、図８を用いて説明する。実施例２の包装用箱２１１では、実施例１の収容部１２に加えて、別途、第２収容部２１２を備えている。尚、実施例１と同一部分の詳しい説明は省略する。
【００５０】
第２収容部２１２は、不織布等の一枚のシート部材２７１を図７に示すように、箱本体１４の一部である第１前フラップ３２、第１側面板３１、第１後フラップ３３の内側面に上下一対の固定部２７３・２７３で固定することで構成される。このように、シート部材２７１を第１面である第１側面板３１、第２面である第１前フラップ３２、第３面である第１後フラップ３３に固定することにより、シート部材７１と箱本体１４の内側面との間で収容部１２を形成している。
【００５１】
シート部材２７１の前端部は、第１前フラップ３２の内側面上で、第１折目線である第１前フラップ折目線６６の近傍に位置し、シート部材７１の後端部は、第１後フラップ３３の内側面上で、第２折目線である第１後フラップ折目線６７の近傍に位置している。
【００５２】
第１側面板３１とシート部材２７１の間には、補助物品９０を保持する隙間である保持部１２ａが形成される。シート部材２７１の前後端部は、それぞれ箱本体１４に固定されていない開放端部とされている。この開放端部とそれに接する箱本体１４とが、第２収容部２１２内に補助物品９０を挿入可能とする収容口となる。この収容口の内、第２面である第１前フラップ３２側の収容口は第１収容口２１２ｂ、第３面である第１後フラップ３３側の収容口は第２収容口２１２ｃである。第１収容口２１２ｂおよび第２収容口２１２ｃへの補助物品９０の挿入方向を矢印Ａで示す。
【００５３】
尚、本考案のシート部材２７１は、一枚のシートで構成しているが、マチがある袋状に構成したり、筒状に構成したりしてもよい。また、シート部材の前後どちらか一方の端部が、第１面である第１側面板３１の前後中途部に配置されていてもよい。
【００５４】
次に、補助物品９０を第２収容部２１２に収容する方法について説明する。
【００５５】
実施例１と同様に筒状に組み立てられた包装用箱２１１は、図８に示すように、補助物品９０を前部側または後部側から第２収容部２１２に収容するのであるが、本考案に係る第２収容部２１２は前後対称に構成されているため、前部側から挿入する方法を以下に説明し、後部側から挿入する方法の説明は省略する。
【００５６】
第２収容部２１２の第１収容口２１２ｂは、第１前フラップ３２の内側に位置している。第１収容口２１２ｂは、第１上蓋部４２が天面板４１と同一平面上にある状態において、第１上蓋部４２等が視界を遮り、第２収容部２１２の第１収容口２１２ｂを認識しづらい（図３と合わせて参照）。また、第１収容口２１２ｂは、第１前フラップ３２が第１側面板３１と同一平面上にある状態において、第２収容部２１２を構成する第１前フラップ３２とシート部材２７１とが密着し、それらの端部に形成されている第１収容口２１２ｂには、隙間がほとんどなく補助物品９０を挿入することが困難である。
【００５７】
そこで、第１前フラップ３２が第１側面板３１と同一平面上にある状態から、第２面である第１前フラップ３２を第１折目線であって箱本体１４の開口の一部である第１前フラップ折目線６６を回動軸である基準軸として、シート部材２７１が固定されている側とは反対方向（矢印Ｃ）に回動させる。ここで、第２面である第１前フラップ３２は、箱本体１４の前部の開口部を閉塞する蓋であり、大きく開くことが可能である。
【００５８】
すると、上面視において、第１上蓋部４２によって認識できなかった第１収容口１２ｂが、認識されやすい状態となる（図５と合わせて参照）。
【００５９】
さらに、この第１前フラップ３２の回動によって、シート部材２７１の前端部は、第１上蓋部４２の内側面に対して浮き上がり、シート部材２７１と第１上蓋部４２との間に隙間が生じ、第１収容口２１２ｂが開いた状態となる。図８において、隙間を２点鎖線とシート部材２７１の前端で示している。このように第１収容口１２ｂが開いた状態において、補助物品９０を第１収容口２１２ｂへと容易に挿入することができる。補助物品９０は、さらに挿入方向Ａの奥へと押し込まれることで、保持部２１２ａまで達し、第１側面板３１とシート部材２７１との間に形成された収容部１２の保持部１２ａで保持される。
【実施例３】
【００６０】
次に、本考案の実施例３に係る包装用箱３１１について図９、図１０を用いて説明する。実施例３の包装用箱３１１では、実施例２の第２収容部２１２の代わりに、別途、第３収容部３１２を備えている。尚、実施例１と同一部分の詳しい説明は省略する。
【００６１】
第３収容部３１２は、第２収容部２１２と略同様の構成であるが、図９に示すように、シート部材３７１の上下の長さを短くして、箱本体１４の内側面の上下中途部から下端部にかけて上下一対の固定部３７３・３７３で固定することで構成されている。したがって、実施例２と同様の効果を有している。また、キャンドル等の細長い補助物品９１を挿入するのに適している。
【００６２】
第１側面板３１とシート部材２７１の間には、補助物品９１を保持する隙間である保持部３１２ａが形成される。シート部材３７１の前後端部は、それぞれ箱本体１４に固定されていない開放端部とされている。この開放端部とそれに接する箱本体１４とが、収容部１２内に補助物品９１を挿入可能とする収容口となる。この収容口の内、第２面である第１前フラップ３２側の収容口は第１収容口３１２ｂ、第３面である第１後フラップ３３側の収容口は第２収容口３１２ｃである。
【００６３】
補助物品９１の収容操作も実施例２と同様に、第１前フラップ３２を矢印Ｃの方向に回動させることでおこなう。シート部材３７１の前端部は、この回動によって、第１前フラップ３２の内側面に対して浮き上がり、シート部材３７１と第１上蓋部４２との間に隙間が生じ、第１収容口３１２ｂが開いた状態となる。図１０において、隙間を２点鎖線とシート部材３７１の前端で示している。このように第１収容口３１２ｂが開いた状態において、補助物品９０（図８参照）よりも上下方向が小さい補助物品９１を第１収容口３１２ｂへと容易に挿入することができる。補助物品９１は、さらに挿入方向Ａの奥へと押し込まれることで、保持部３１２ａまで達し、第１側面板３１とシート部材３７１との間に形成された第３収容部３１２の保持部３１２ａで保持される。
【００６４】
このように、シート部材３７１の大きさを変更することで、補助物品９１に適した収容部３１２を構成することも容易にできる。
【実施例４】
【００６５】
本考案の実施例４に係る収容部４１２を備える包装用箱４１１について、図１１から図１６を用いて説明する。
【００６６】
実施例４に係る収容部４１２は、箱本体４１６にシート部材４７１を固定して、図１に示す展開形成体４１３を組み立てて形成されるものであり、ケーキ等を収納するための包装用箱４１１に設けられるものである。包装用箱４１１は、板紙、段ボール等の厚紙で形成されている。本実施例に係る包装用箱４１１の箱本体４１６は、図１３に示すように、本体部４１４に蓋部４１５が開閉自在に連設されているサイドオープン型の包装用箱である。包装用箱４１１は折り畳まれた半完成状態で菓子店等に納品され（図１２参照）、ケーキ等を収納する前に最終の組み立てが行われて完成状態の包装用箱４１１とされる。
【００６７】
本実施例の以下の説明では、本体部４１４に蓋部４１５が連設されている側を後側、後側に対向する側を前側とし、他方の対向する側を左右側とする。すなわち、包装用箱４１１の短手方向を前後とし、長手方向を左右とする。図１４では前側面板４２２が設けられている側が前側となる。また、上下方向は、包装用箱４１１を組み立てて、底板４２１を下にして載置した状態で、底板４２１側を下方とする。尚、本実施例の包装用箱４１１の平面形状は長方形であるが、正方形等の他の形状に変更してもよい。
【００６８】
図１１に示す展開形成体４１３に従って包装用箱４１１の箱本体４１６の一部である本体部４１４を構成する部分を説明すると、底板４２１は、包装用箱４１１の底部を構成する部分である。底板４２１の前部の縁部には本体部４１４の前側の側面板を構成する前側面板４２２が前側面板折目線４４１を介して連設されており、底板４２１の後部の縁部には本体部４１４の後側の側面板を構成する後側面板４２３が後側面板折目線４４２を介して連設されている。底板４２１の左右の縁部には、本体部４１４の左右の側面板を構成する１対の左右側面板４２４が左右側面板折目線４４３を介して連設されている。
【００６９】
前側面板４２２の上部となる縁部には、挟持フラップ折目線４４４を介して挟持フラップ４２５が連設されており、前側面板４２２の左右となる縁部には、側部フラップ折目線４４５を介して１対の側部フラップ４２６が連設されている。左右側面板４２４の前部となる縁部には、差込フラップ折目線４４６を介して差込フラップ４２７が形成されており、左右側面板４２４の上部となる縁部には、上部フラップ折目線４４７を介して上部フラップ４２８が形成されている。また、左右側面板４２４の後部下端から、前部上端部及び上部フラップ４２８に掛けて、左右側面板４２４を折り畳む際に折り曲げられる側面板折畳用折目線４４８が形成されている。後側面板４２３の左右となる縁部には、支持フラップ折目線４４９を介して１対の支持フラップ４２９が連設されている。
【００７０】
次に、箱本体４１６の蓋部４１５を構成する部分を説明すると、図１１に示すように、前記後側面板４２３の上部に箱本体４１６の天部を構成する天面板４３１が蓋部連結折目線４５１を介して連設されている。天面板４３１の対向する左右の縁部には蓋部４１５の左右の側面板を構成する蓋部左右側面板４３２が蓋部左右側面板折目線４５２を介して連設されている。天面板４３１の前縁部には蓋部４１５の前部の側面板を構成する蓋部前側面板４３３が蓋部前側面板折目線４５３を介して連設されている。蓋部左右側面板４３２の前端部には、蓋部左右側面板４３２の前端上部から後部に向けて斜めに形成される折込フラップ折目線４５４を介して、折込フラップ４３４が連設されており、蓋部前側面板４３３の左右端部には連結フラップ折目線４５５を介して連結フラップ４３５が連設されている。
【００７１】
次に、収容部４１２について説明する。収容部４１２は、箱本体４１６の内側面とシート部材４７１との間に構成されて保冷体等の補助物品９０を収納するものである。
【００７２】
収容部４１２について更に詳細に説明すると、シート部材４７１は、不織布やレーヨン紙等の素材で形成される部材であり、シート部材４７１は、第１面である後側面板４２３の内側面と、第２面である天面板４３１の内側面とを覆う形状を有している。
【００７３】
シート部材４７１は、第１面としての後側面板４２３を略全体的に、更に第２面としての天面板４３１を第１折目線としての蓋部連結折目線４５１の近傍を覆うように、略凹状の固定部４７３によって貼着固定されている。つまり、シート部材４７１の周縁部のうち、一部は固定されずに開放状態とされる。固定部４７３は、接着手段や溶着手段により、シート部材４７１を包装用箱４１１の内側面に固定するとともに、収容部４１２の内と外とを実質的に区分けするものである。
【００７４】
また、収容部４１２の内、補助物品９０を挿入可能な第１収容口４１２ａは、固定部４７３によって固定されていないシート部材４７１の開放端部である上端部と、第２面である天面板４３１との間によって構成される。また、収容部４１２の内、補助物品９０を保持する保持部４１２ｂは、第１面である後側面板４２３とシート部材４７１との間よりなる隙間によって構成される。
【００７５】
次に、包装用箱４１１を半完成状態（図１２参照）まで組み立てる場合について説明する。図１１において、まず蓋部左右側面板折目線４５２を谷折して、蓋部左右側面板４３２が天面板４３１に重なるように折り返し、折込フラップ折目線４５４を谷折（図１１の状態においては山折）して折込フラップ４３４が蓋部左右側面板４３２に重なるように折り返す。次に、連結フラップ折目線４５５を谷折して連結フラップ４３５が蓋部前側面板４３３に重なるように折り返し、蓋部前側面板折目線４５３を谷折して、蓋部前側面板４３３が天面板４３１に重なり、かつ、連結フラップ４３５が折込フラップ４３４に重なるように折り返す。連結フラップ４３５と折込フラップ４３４の当接部分は連結フラップ固定部４６１により貼着固定する。
【００７６】
箱本体４１６の本体部４１４を構成する部分については、図１１において、後側面板４２３に対して支持フラップ折目線４４９を谷折して支持フラップ４２９を起立させるように折り曲げ、後側面板４２３も後側面板折目線４４２を谷折して底板４２１に対して起立させるように折り曲げる。左右側面板４２４は左右側面板折目線４４３を谷折して底板４２１に対して起立させるように折り曲げる。この状態では、支持フラップ４２９と左右側面板４２４とが重なるため、支持フラップ４２９と左右側面板４２４の当接する部分は左右側面板固定部４６４により貼着固定する。
【００７７】
本体部４１４の前側面板４２２については、図１１において、側部フラップ折目線４４５を谷折して側部フラップ４２６が前側面板４２２に重なるように折り返し、挟持フラップ折目線４４４を谷折して挟持フラップ４２５が側部フラップ４２６の上から前側面板４２２に重なるように折り返す。側部フラップ４２６と前側面板４２２の接触する部分は、固定部４６２が形成される。その固定部４６２に接着剤等の固定手段を付することで、側部フラップ４２６と前側面板４２２は貼着固定される。但し、差込フラップ４２７と側部フラップ４２６とが重なる部分は、固定されずに間隙が形成される。
【００７８】
この状態から、本体部４１４の左右の側面板を構成する左右側面板４２４を側面板折畳用折目線４４８線で折り曲げる。側面板折畳用折目線４４８線の折り曲げは、本体部４１４の側方から見て谷折するように折り曲げる。同時に、後側面板折目線４４２を谷折して後側面板４２３が底板４２１に対して重なるように折り返す。これにより、図１２に示すように、包装用箱４１１は略半分に折り畳まれた半完成状態となる。半完成状態では、包装用箱４１１は厚さが薄く、コンパクトであるため、運搬や保管が容易となる。
【００７９】
次に、折り畳まれた半完成状態の包装用箱４１１を完成体まで組み立てる場合について説明する。図１３に示すように、まず、本体部４１４の左右側面板４２４を半分に折り畳むように折り曲げられていた側面板折畳用折目線４４８線を屈曲状態から元に戻すようにして、左右側面板４２４と後側面板４２３とを底板４２１に対して起立させる。差込フラップ４２７は差込フラップ折目線４４６を谷折して包装用箱４１１の内部に向かうように折り曲げ、上部フラップ４２８は上部フラップ折目線４４７で谷折して包装用箱４１１の内部に向かうように折り曲げる。
【００８０】
続いて、前側面板折目線４４１を谷折して前側面板４２２を底板４２１に対して起立させるようにし、側部フラップ４２６と挟持フラップ４２５とで形成された間隙に左右側面板４２４に連設された差込フラップ４２７を差し込んで挟持させることにより、図１３に示すように、本体部４１４が組み立てられる。このように、半完成状態から左右側面板４２４、後側面板４２３、前側面板４２２を起立させるようにするだけで、本体部４１４の組み立てが完了するため、本体部４１４の組み立てが容易である。
【００８１】
そして、本体部４１４が組み立てられ、さらに、補助物品９０を収容部４１２へと容易に挿入するための操作を行う。具体的には、図１４に示すように、第１折目線であり箱本体４１６の開口の一部である蓋部連結折目線４５１を回動軸である基軸線として第２面である天面板４３１を収容部４１２側とは反対方向の矢印Ｄに回動させる。すると、密着していた天面板４３１とシート部材４７１との間に隙間が生じ、収容部４１２の第１収容口４１２ａが開いた状態となる。この状態で、収容部４１２の第１収容口４１２ａから補助物品９０が挿入され、さらに収容部４１２内の奥に補助物品９０を挿入することで、収容部４１２の収容位置である保持部４１２ｂへと補助物品９０が収納される。このとき、シート部材４７１が箱本体に緩みなく密着した状態であるため、補助物品９０は、図１５に示すように保持部４１２ｂに安定した状態で保持される。
【００８２】
収容部４１２に補助物品９０を収納し、本体部４１４の内部にケーキ等を収納した後、続いて蓋部４１５を組み立てる。蓋部４１５は、蓋部左右側面板４３２を天面板４３１に対して引き起こして起立させるようにするとともに、折り曲げられていた折込フラップ折目線４５４を屈曲状態から元に戻すようにすると、蓋部左右側面板４３２の端部は折込フラップ４３４と連結フラップ４３５とで蓋部前側面板４３３に連結されているため、蓋部左右側面板４３２とともに蓋部前側面板４３３も天面板４３１に対して起立していく。この状態で、天面板４３１に対して蓋部前側面板４３３と蓋部左右側面板４３２とが起立した状態が保持される。
【００８３】
そして、補助物品９０を収容部４１２に収納して、本体部４１４に対して蓋部４１５を閉じた状態を図１６に示す。この状態では、このときシート部材４７１の第１収容口４１２ａは、天面板４３１とともに折り曲げられるため、第１収容口４１２ａから収容部４１２の外に飛び出すことがない。
【００８４】
尚、本実施例では、収容部４１２が、箱本体４１６と一枚のシート部材４７１との間に設けられていたが、収容部は、必ずしも箱本体４１６とシート部材４７１との間に設けなくてもよい。シート部材４７１は、シート状の不織布としているが、不織布と、第１面としての後側面板４２３と第２面としての天面板４３１との間に、フィルムシート等を介在させてもよい。また、不織布自体を袋状、または筒状に構成してもよい。
【００８５】
以上説明した本考案の技術的範囲は、上記の実施例に限定されるものではなく、上記実施例の形状に限定されない。本考案の技術的範囲は、本明細書及び図面に記載した事項から明らかになる本考案が真に意図する技術的思想の範囲全体に、広く及ぶものである。
【符号の説明】
【００８６】
１１      包装用箱
１２      収容部
１２ａ    保持部
１２ｂ    第１収容口
１２ｃ    第２収容口
１３      展開形成体
１４      箱本体
２１      底板
２２      取付面
２３      第１下蓋部
２４      第２下蓋部
２５      前切込部
２６      後切込部
３１      第１側面板
３２      第１前フラップ
３３      第１後フラップ
４１      天面板
４２      第１上蓋部
４３      第２上蓋部
４４      前差込片
４５      後差込片
５１      第２側面板
５２      第２前フラップ
５３      第２後フラップ
６１      第１側面板折目線
６２      取付面折目線
６３      第１下蓋部折目線
６４      第２下蓋部折目線
６５      天面折目線
６６      第１前フラップ折目線
６７      第１後フラップ折目線
６８      第２前フラップ折目線
６９      第２後フラップ折目線
７１      シート部材
７１ａ    第１シート
７１ｂ    第２シート
７３      固定部
７４      固定部
８０      第２側面板折目線
８１      第１上蓋部折目線
８２      第２上蓋部折目線
９０      補助物品
９１      補助物品
２１１    包装用箱
２１２    収容部
２１２ａ  保持部
２１２ｂ  第１収容口
２１２ｃ  第２収容口
２１３    展開形成体
２７１    シート部材
２７３    固定部
３１１    包装用箱
３１２    収容部
３１２ａ  保持部
３１２ｂ  第１収容口
３１２ｃ  第２収容口
３１３    展開形成体
３７１    シート部材
３７３    固定部
４１１    包装用箱
４１２    収容部
４１２ａ  第１収容口
４１２ｂ  保持部
４１３    展開形成体
４１４    本体部
４１５    蓋部
４１６    箱本体
４２１    底板
４２２    前側面板
４２３    後側面板
４２４    左右側面板
４２５    挟持フラップ
４２６    側部フラップ
４２７    差込フラップ
４２８    上部フラップ
４２９    支持フラップ
４３１    天面板
４３２    蓋部左右側面板
４３３    蓋部前側面板
４３４    折込フラップ
４３５    連結フラップ
４４１    前側面板折目線
４４２    後側面板折目線
４４３    左右側面板折目線
４４４    挟持フラップ折目線
４４５    側部フラップ折目線
４４６    差込フラップ折目線
４４７    上部フラップ折目線
４４８    側面板折畳用折目線
４４９    支持フラップ折目線
４５１    蓋部連結折目線
４５２    蓋部左右側面板折目線
４５３    蓋部前側面板折目線
４５４    折込フラップ折目線
４５５    連結フラップ折目線
４６１    連結フラップ固定部
４６２    固定部
４６４    左右側面板固定部
４７１    シート部材
４７３    固定部
Ａ        矢印
Ｂ        矢印
Ｃ        矢印
Ｄ        矢印
【図１】
0003167963.tif 000003
【図２】
0003167963.tif 000004
【図３】
0003167963.tif 000005
【図４】
0003167963.tif 000006
【図５】
0003167963.tif 000007
【図６】
0003167963.tif 000008
【図７】
0003167963.tif 000009
【図８】
0003167963.tif 000010
【図９】
0003167963.tif 000011
【図１０】
0003167963.tif 000012
【図１１】
0003167963.tif 000013
【図１２】
0003167963.tif 000014
【図１３】
0003167963.tif 000015
【図１４】
0003167963.tif 000016
【図１５】
0003167963.tif 000017
【図１６】
0003167963.tif 000018